(57)【特許請求の範囲】
【請求項１】
パンチと、ダイと、ワークを把持するブランクホルダと、を備えたプレス成形装置において、
前記ブランクホルダは、前記ワークを、リヤ側に設けられたスペアタイヤパンと、当該スペアタイヤパンからフロント側にかけて車幅方向に延設された凹凸と、を備える車体下部構造に成形中に、前記スペアタイヤパンの車幅方向両端部、フロント側周縁部、前記スペアタイヤパンのリヤ側周縁部の順に把持するものであり、
前記ブランクホルダは、複数に分割されてクッションにより支持され、
少なくとも１つのブランクホルダが、他のブランクホルダと異なるタイミングで前記ワークを把持するように支持され、
前記ブランクホルダのうち、前記プレス成型装置の上型機構に設けられた上型ブランクホルダは、ガススプリングにより支持され、
前記ガススプリングは、
シリンダと、
先端部の外周面に円周方向の溝が形成されたピストンロッドと、
前記上型ブランクホルダに固定され、内周面の上下方向の略中央に溝が形成された環状のプレートと、
前記プレートの溝と前記ピストンロッドの溝との間に配置されたリテーナリングと、を備え、
前記上型機構の上昇時に、前記プレート及び前記リテーナリングを介して、前記上型ブランクホルダに上昇荷重を伝達することを特徴とするプレス成形装置。
【請求項２】
請求項１に記載のプレス成形装置において、
少なくとも１つのブランクホルダが、他のブランクホルダとストローク長が異なることを特徴とするプレス成形装置。
【発明の詳細な説明】
【技術分野】
【０００１】
本発明は、プレス成形方法及びプレス成形装置に関する。より詳しくは、ワークをブランクホルダで把持して、パンチとダイとで成形するプレス成形方法及びプレス成形装置に関する。
【背景技術】
【０００２】
従来より、薄板金属パネル等のワークの端部をブランクホルダで把持し、この状態で、パンチとダイとによりワークを絞り込みながら成形する絞り成形が行われている。ブランクホルダで把持したワークの端部は、製品としては不要の部分であるため、絞り成形後に、その端部を切除するトリム成形が行われる。
【０００３】
ここで、トリム成形により切除される部分、いわゆる捨て絞りが増えると、材料の歩留りが低下する。例えば、リヤ側にスペアタイヤパンを備え、リヤ側端部とフロント側端部の上下方向における位置が異なる自動車リアフロアパネルを成形する場合、ワークの端部をブランクホルダで同時に把持して絞り成形すると、リヤ側端部の捨て絞りは非常に大きなものとなり、材料の歩留りは大きく低下する。このため、捨て絞りを低減し、材料の歩留りを向上させる成形技術の開発が進められている。
【０００４】
例えば、ダイに対して相対的に上下動可能なインサートダイと、このインサートダイに対向して設けられ、パンチに対して相対的に上下動可能なインサートパンチと、を備える成形装置が提案されている（特許文献１参照）。この成形装置では、ダイ及びパンチに先行して、インサートダイとインサートパンチとによりワークのリヤ側端部を把持するとともに、フロント側端部をブランクホルダで把持して、絞り成形する。これにより、フロント側端部とは上下方向の位置が異なる位置で、リヤ側端部を加圧拘束しつつ当該リヤ側端部を成形できるため、当該リヤ側端部の捨て絞りを削減できる。
【先行技術文献】
【特許文献】
【０００５】
【特許文献１】特開平４−１７８２２５号公報
【発明の概要】
【発明が解決しようとする課題】
【０００６】
ところで、近年、デザイン性の向上や耐衝突性の向上の観点から、パネルの統合化が進められており、パネル形状がより複雑化している。例えば図１に示すような、リヤ側に設けられたスペアタイヤパン１１０と、当該スペアタイヤパン１１０からフロント側にかけて車幅方向に延設された凹凸１２０と、を備え、内部に複数の段差を有する自動車リアフロアパネル１００を成形する必要がある。
【０００７】
しかしながら、特許文献１の技術では、インサートダイとインサートパンチはそれぞれ１つずつしか設けられていないため、段差が１つのパネルにしか対応できない。仮に、インサートダイとインサートパンチを複数設けた場合、この技術ではワークを把持するタイミングは同時であるため、金型のストロークが長くなり、金型が大型化する。
【０００８】
本発明は上記に鑑みてなされたものであり、その目的は、金型の大型化を回避しつつ内部に複数の段差を有する形状を成形でき、且つ捨て絞りを低減して材料の歩留りを向上できるプレス成形方法及びプレス成形装置を提供することにある。
【課題を解決するための手段】
【０００９】
上記目的を達成するため本発明は、ワーク（例えば、後述の鋼板１０）をブランクホルダで把持して、パンチ（例えば、後述のパンチ３１）とダイ（例えば、後述のダイ２１）とで成形するプレス成形方法において、前記成形中に、前記ワークの複数の部位を、その成形形状に応じた異なるタイミングで、前記ブランクホルダ（例えば、後述の各サイドホルダ、各フロントホルダ、リアパッド３２及び各フロントパッド）で把持することを特徴とする。
【００１０】
本発明では、ワークの複数の部位を、その成形形状に応じた異なるタイミングで、ブランクホルダで把持していきながら、絞り成形する。これにより、複数の段差形状を有する自動車リアフロアパネルを絞り成形する場合に、その段差形状に応じて、ブランクホルダがワークの複数の部位ごとに異なる適切なタイミングでワークを把持できる。従って本発明によれば、複数の段差を有する形状であっても、しわの発生を抑制しつつ精度良く成形できるうえ、捨て絞りを低減して材料の歩留りを向上できる。
また本発明によれば、ブランクホルダが、ワークの複数の部位を異なるタイミングで把持していくため、把持するタイミングの遅いブランクホルダのストロークを短くできる。従って、金型の大型化を回避できる。
【００１１】
この場合、複数の凹凸形状を、１ストローク中の異なるタイミングで成形し、当該成形中には、前記凹凸形状に成形される部位の周囲を、その成形順に前記ブランクホルダで把持することが好ましい。
【００１２】
この発明では、複数の凹凸形状を１ストローク中の異なるタイミングで成形する際に、凹凸形状に成形される部位の周囲を、その成形順にブランクホルダで把持する。即ち、複数の段差形状を有する自動車リアフロアパネルを絞り成形する場合に、段差形状の成形順に、その成形部位の周囲をブランクホルダで把持する。これにより、より適切なタイミングで、ワークの複数の部位を異なるタイミングで、ブランクホルダで把持できるため、上述の効果がより高められる。
【００１３】
この場合、前記ワークを、リヤ側に設けられたスペアタイヤパン（例えば、後述のスペアタイヤパン１１０）と、当該スペアタイヤパンからフロント側にかけて車幅方向に延設された凹凸（例えば、後述の凹凸１２０）と、を備える車体下部構造（例えば、後述の自動車リアフロアパネル１００）に成形し、当該成形中には、前記スペアタイヤパンの車幅方向両端部、フロント側周縁部、前記スペアタイヤパンのリヤ側周縁部の順に、前記ブランクホルダで把持することが好ましい。
【００１４】
この発明では、リヤ側に設けられたスペアタイヤパンと、スペアタイヤパンからフロント側にかけて車幅方向に延設された凹凸と、を備える車体下部構造を絞り成形する際に、スペアタイヤパンの車幅方向両端部、フロント側周縁部、スペアタイヤパンのリヤ側周縁部の順に、ブランクホルダで把持する。これにより、上述の効果を得つつ、複数の段差形状を有する自動車リアフロアパネルを成形できる。
【００１５】
また本発明に係るプレス成形装置は、パンチ（例えば、後述のパンチ３１）と、ダイ（例えば、後述のダイ２１）と、ワーク（例えば、後述の鋼板１０）を把持するブランクホルダと、を備えたプレス成形装置（例えば、後述のプレス成形装置１）において、前記ブランクホルダ（例えば、後述の各サイドホルダ、各フロントホルダ、リアパッド３２及び各フロントパッド）は、複数に分割されてクッション（例えば、後述のガススプリング２７，３７）により支持され、少なくとも１つのブランクホルダが、他のブランクホルダと異なるタイミングで前記ワークを把持するように支持されていることを特徴とする。
【００１６】
この場合、少なくとも１つのブランクホルダが、他のブランクホルダとストローク長が異なることが好ましい。
【００１７】
本発明のプレス成形装置によれば、上記プレス成形方法の場合と同様の効果が奏される。
【発明の効果】
【００１８】
本発明によれば、金型の大型化を回避しつつ内部に複数の段差を有する形状を成形でき、且つ捨て絞りを低減して材料の歩留りを向上できるプレス成形方法及びプレス成形装置を提供できる。
【図面の簡単な説明】
【００１９】
【図１】内部に複数の段差を有する自動車リアフロアパネルの斜視図である。
【図２】本発明の一実施形態に係るプレス成形装置の構成を示す斜視図である。
【図３】前記実施形態に係るプレス成形装置の透過斜視図である。
【図４】フロントパッド及びリアパッドのガススプリングの構成を示す模式図である。
【図５】前記ガススプリングの断面模式図である。
【図６】前記ガススプリングの平面模式図である。
【図７】前記実施形態に係るプレス成形方法を説明するための図であり、（Ａ）が、成形開始時のワークの斜視図であり、（Ｂ）が、リア側にスペアタイヤパンが形成されつつあるときのワークの斜視図であり、（Ｃ）が、スペアタイヤパンからフロント側にかけて車幅方向に延びる凹凸が形成されたときのワークの斜視図であり、（Ｄ）が、スペアタイヤパンの上面に車体前後方向に延びる凸部が形成されたときのワークの斜視図である。
【図８】上型機構が上死点にあるときの前記実施形態に係るプレス成形装置の縦断面図である。
【図９】ワークのリア側の両端部を把持したときの前記実施形態に係るプレス成形装置の縦断面図である。
【図１０】ワークのフロント側周縁部を把持したときの前記実施形態に係るプレス成形装置の縦断面図である。
【図１１】ワークのリア側周縁部を把持したときの前記実施形態に係るプレス成形装置の縦断面図である。
【図１２】上型機構が下死点に到達したときの前記実施形態に係るプレス成形装置の縦断面図である
【発明を実施するための形態】
【００２０】
以下、本発明の一実施形態について、図面を参照しながら説明する。
本発明の一実施形態に係るプレス成形装置１は、１ストロークで、図１に示すような、リヤ側に設けられたスペアタイヤパン１１０と、当該スペアタイヤパン１１０からフロント側にかけて車幅方向に延設された凹凸１２０と、を備える自動車リアフロアパネル１００を成形するものである。
なお、自動車リアフロアパネル１００は、図１に示すスペアタイヤパン１１０の上面を車体下方に向けた状態で、車体に取り付けられる。
【００２１】
図２は、本実施形態に係るプレス成形装置１の構成を示す図であり、図３は、プレス成形装置１の透過斜視図である。
プレス成形装置１は、ワークとしての鋼板（図示せず）の下側に配置されて当該鋼板を支持する下型機構２０と、鋼板の上側に配置されて下型機構２０に対して進退可能な上型機構３０と、上型機構３０を昇降させる昇降機構（図示せず）と、を備える。
下型機構２０と上型機構３０は、鋼板を挟んで対向配置される。
【００２２】
下型機構２０は、ダイ２１と、ブランクホルダとしての第１サイドホルダ２２、第２サイドホルダ２３、第１フロントホルダ２４、第２フロントホルダ２５及び第３フロントホルダ２６と、を備える。
このように、従来ではダイの周囲に一体として設けられていたブランクホルダを、本実施形態では複数に分割し、互いに独立して昇降可能となっている。
【００２３】
ダイ２１は、ダイ本体２１１と、ダイクッション機構２１２と、を備える。
ダイ本体２１１は、ダイクッション機構２１２により、昇降可能に支持されている。ダイ本体２１１は、図１に示す自動車リアフロアパネル１００の形状と同一形状の成形面２１０を有する。
ダイクッション機構２１２は、ダイ本体２１１の下方に設けられている。ダイクッション機構２１２は、複数のクッションピン２１３と、これらクッションピン２１３を支持するクッションパッド（図示せず）と、を含んで構成される。
【００２４】
第１サイドホルダ２２及び第２サイドホルダ２３は、ダイ２１のリア側（図１及び図２のＲ側）の両側部に設けられている。これらサイドホルダは、後述のパンチ３１の先端面を形成する両側部に対応した位置に配置されている。これらサイドホルダは、クッションとしての複数のガススプリング２７により、ダイ本体２１１に対して相対的に昇降可能に支持されている。
【００２５】
第１フロントホルダ２４、第２フロントホルダ２５及び第３フロントホルダ２６は、ダイ２１のフロント側（図１及び図２のＦ側）の端部に設けられている。これらフロントホルダは、上記のサイドホルダと同様に、クッションとしての複数のガススプリング２７により、ダイ本体２１１に対して相対的に昇降可能に支持されている。
【００２６】
なお、各ホルダは、初期状態（上型機構の上死点）において、それらの上面がダイ２１の最上面よりも上方に位置するように、ガススプリング２７に支持されている。
また、上述の各サイドホルダと各フロントホルダとでは、ストローク長が異なるように設定されている。具体的には、各フロントホルダのストローク長は、各サイドホルダのストローク長よりも短く設定されている。
【００２７】
上型機構３０は、パンチ３１と、ブランクホルダとしてのリアパッド３２、第１フロントパッド３３、第２フロントパッド３４及び第３フロントパッド３５と、を備える。
【００２８】
パンチ３１は、ダイ２１の成形面２１０の形状に対応した形状を有する成形面３１０を有する。
【００２９】
リアパッド３２は、パンチ３１のリア側の端部中央に設けられている。リアパッド３２は、ダイ２１のリア側膨出部の端部に対向配置されている。リアパッド３２は、複数のガススプリング３７により、パンチ３１に対して相対的に昇降可能となっている。
【００３０】
第１フロントパッド３３、第２フロントパッド３４及び第３フロントパッド３５は、パンチ３１のフロント側の端部に設けられている。第１フロントパッド３３は第１フロントホルダ２４に対向配置されており、第２フロントパッド３４は第２フロントホルダ２５に対向配置されており、第３フロントパッド３５は第３フロントホルダ２６に対向配置されている。これらフロントパッドは、上記のリアパッド３２と同様に、複数のガススプリング３７により、パンチ３１に対して相対的に昇降可能となっている。
【００３１】
なお、リアパッド３２及び各フロントパッドは、初期状態（上型機構の上死点）において、それらの先端面がパンチ３１の両側部にある先端面よりも上方に位置するように、ガススプリング３７に支持されている。
【００３２】
ここで、リアパッド３２に設けられているガススプリング３７の構成について、図４〜図６を参照して詳しく説明する。なお、各フロントパッドに設けられているガススプリング３７も同一の構成であるため、その説明は省略する。
【００３３】
図４は、ガススプリング３７の構成を示す模式図である。図４に示すように、ガススプリング３７は、シリンダ３７１と、ピストンロッド３７２と、リアパッド３２に固定されたプレート３７３と、を備える。なお、ガススプリング３７は、ピストンロッド３７２をその下死点にてロックするロック機構を備えている。
【００３４】
図５は、ガススプリング３７の断面模式図である。また図６は、図５のガススプリング３７を平面視したガススプリング３７の平面模式図である。これら図５及び図６に示すように、プレート３７３は、上下方向の略中央が小径部で形成されている環状のプレートである。また、ピストンロッド３７２の先端部の外周面には、円周方向の溝３７５が設けられている。これらプレート３７３の小径部とピストンロッド３７２の溝３７５との間には、リテーナリング３７４が配置されている。なお、図６に示すように、リテーナリング３７４は２つの部材からなり、組立てが容易となっている。
【００３５】
従来より、上型機構のパッドに設けられるガススプリングとしては、ロック機構付きのものが用いられていた。ところが、上型機構（ラム）上昇時において、パッドの自重による落下を防止すべく、パッドを上方に付勢するシリンダが別途設けられていた。このため、構造が複雑化し、シリンダを複数設けることで、金型が大型化してしまうという問題があった。
これに対して、本実施形態のガススプリング３７は、上述のような安価で簡単な構造により、プレート３７３及びリテーナリング３７４を介して、リアパッド３２に上昇荷重を伝達できる。このため、従来のようにパッドを上方に付勢するシリンダを設ける必要がなく、パッドを複数個設けた場合であっても、金型が大型化してしまうことがない。
【００３６】
以上のような構成からなるプレス成形装置１によるプレス成形方法について、図７を参照して説明する。図７は、本実施形態に係るプレス成形方法の手順を示す図であり、破線で囲まれた領域は、ブランクホルダで把持される部位を示している。
【００３７】
図７の（Ａ）は、成形開始時のワークとしての鋼板１０の斜視図である。この図に示すように、成形開始時には、最初に成形が行われるスペアタイヤパンの車幅方向両端部、即ち鋼板１０のリア側の両側部のみを、ブランクホルダで把持する。具体的には、第１サイドホルダ２２及び第２サイドホルダ２３とパンチ３１とで、鋼板１０のリア側の両側部を把持する。
【００３８】
図７の（Ｂ）は、上型機構３０を下降させていくことで、リア側にスペアタイヤパンが形成されつつあるときのワークの斜視図である。この図に示すように、スペアタイヤパンの成形時には、上述したようにその両側部を把持しつつ、次に成形が行われるフロント側周縁部をブランクホルダで把持する。具体的には、第１フロントパッド３３と第１フロントホルダ２４、第２フロントパッド３４と第２フロントホルダ２５、及び、第３フロントパッド３５と第３フロントホルダ２６とで、フロント側周縁部を把持する。
【００３９】
図７の（Ｃ）は、スペアタイヤパンからフロント側にかけて車幅方向に延びる凹凸が形成されたときのワークの斜視図である。この図に示すように、ワークのリア側の両側部とフロント側周縁部とを把持した状態で、パンチ３１が鋼板１０を押圧することで、スペアタイヤパンからフロント側にかけて車幅方向に延びる凹凸が成形される。
【００４０】
図７の（Ｄ）は、スペアタイヤパンの上面に車体前後方向に延びる凸部が形成されたときのワークの斜視図である。この図に示すように、鋼板１０のリア側の両側部とフロント側周縁部を把持しつつ、次に成形が行われるスペアタイヤパンのリア側周縁部をブランクホルダで把持する。具体的には、リアパッド３２とダイ２１とで、スペアタイヤパンのリア側周縁部を把持する。これにより、スペアタイヤパンの上面に、車体前後方向に延びる凸部が形成される。
【００４１】
以上のようにして、リヤ側にスペアタイヤパン１１０が設けられ、当該スペアタイヤパン１１０からフロント側にかけて車幅方向に延設された凹凸１２０を有する自動車リアフロアパネル１００（図１参照）が成形される。
【００４２】
次に、本実施形態に係るプレス成形装置１の動作について、図８〜図１２を参照して説明する。図８〜図１２では、成形中のプレス成形装置１について、図２におけるＡ−Ａ線断面図とＢ−Ｂ線断面図をそれぞれ示している。
図８は、上型機構３０が上死点にあるときのプレス成形装置１の縦断面図である。図８に示すように、先ず、下型機構２０に鋼板１０をセットする。具体的には、第１サイドホルダ２２及び第２サイドホルダ２３、並びに、第１フロントホルダ２４及び第３フロントホルダ２６上に、鋼板１０を支持する。このとき、ダイ２１の最上面は、各ホルダの上面よりも下方に位置している。また、リアパッド３２及び各フロントパッドの先端面は、パンチ３１の両側部にある先端面３１１よりも上方に位置している。
【００４３】
図９は、鋼板１０のリア側の両側部を把持したときのプレス成形装置１の縦断面図である。図９に示すように、上型機構３０を下降させていくと、先ず、パンチ３１の両側部にある先端面３１１が、鋼板１０の両端部に当接する。これにより、パンチ３１と第１サイドホルダ２２及び第２サイドホルダ２３とにより、鋼板１０のリア側の両側部が把持される。このとき、鋼板１０のフロント側周縁部はまだ把持されていない。
【００４４】
図１０は、鋼板１０のフロント側周縁部を把持したときのプレス成形装置１の縦断面図である。図１０に示すように、上型機構３０をさらに下降させていくと、各フロントパッドの先端面が、鋼板１０に当接する。これにより、各フロントパッドと各フロントホルダとで、鋼板１０のフロント側周縁部が把持される。
【００４５】
図１１は、鋼板１０のリア側周縁部を把持したときのプレス成形装置１の縦断面図である。図１１に示すように、上型機構３０をさらに下降させていくと、各サイドホルダがダイ２１に対して相対的に下降する結果、ダイ２１によって鋼板１０が上方に押圧される。これにより、リヤ側にスペアタイヤパンが形成されていく。また、このとき、各フロントホルダのストローク長は、各サイドホルダのストローク長よりも短く設定されているため、各フロントホルダは、それぞれに設けられているストッパにより底付いており、これ以上は下降しない。
【００４６】
図１２は、上型機構３０が下死点に到達したときのプレス成形装置１の縦断面図である。図１２に示すように、上型機構３０をさらに下降させて下死点にまで到達させると、さらに各サイドホルダがダイ２１に対して相対的に下降していき、ダイ２１によって鋼板１０がさらに上方に押圧される。これにより、リヤ側にスペアタイヤパンが形成される。また、このとき、上述したように各フロントホルダはすでに底付いて下降しなくなっていたため、鋼板１０のフロント側周縁部は、鋼板１０の両側部よりも上方の位置にあることが分かる。これにより、フロント側周縁部とは上下方向の位置が異なる位置で、リヤ側周縁部を加圧拘束しつつ当該リヤ側周縁部が成形されるため、当該リヤ側周縁部の捨て絞りが削減される。
【００４７】
本実施形態のプレス成形装置１及びプレス成形方法によれば、以下の効果が奏される。
本実施形態では、鋼板１０の複数の部位を、その成形形状に応じた異なるタイミングで、ブランクホルダ（各サイドホルダ、各フロントホルダ、リアパッド３２及び各フロントパッド）で把持していきながら、絞り成形する。これにより、複数の段差形状を有する自動車リアフロアパネル１００を絞り成形する場合に、その段差形状に応じて、ブランクホルダが鋼板１０の複数の部位ごとに異なる適切なタイミングで鋼板１０を把持できる。従って本実施形態によれば、複数の段差を有する形状であっても、しわの発生を抑制しつつ精度良く成形できるうえ、捨て絞りを低減して材料の歩留りを向上できる。
また本実施形態によれば、ブランクホルダが、鋼板１０の複数の部位を異なるタイミングで把持していくため、把持するタイミングの遅いブランクホルダのストロークを短くできる。従って、金型の大型化を回避できる。
【００４８】
また本実施形態では、複数の凹凸形状を１ストローク中の異なるタイミングで成形する際に、凹凸形状に成形される部位の周囲を、その成形順にブランクホルダで把持する。即ち、複数の段差形状を有する自動車リアフロアパネル１００を絞り成形する場合に、段差形状の成形順に、その成形部位の周囲をブランクホルダで把持する。これにより、より適切なタイミングで、鋼板１０の複数の部位を異なるタイミングで、ブランクホルダで把持できるため、上述の効果がより高められる。
【００４９】
また本実施形態では、リヤ側に設けられたスペアタイヤパン１１０と、スペアタイヤパン１１０からフロント側にかけて車幅方向に延設された凹凸１２０と、を備える自動車リアフロアパネル１００を絞り成形する際に、スペアタイヤパン１１０の車幅方向両端部、フロント側周縁部、スペアタイヤパン１１０のリヤ側周縁部の順に、ブランクホルダで把持する。これにより、上述の効果を得つつ、複数の段差形状を有する自動車リアフロアパネル１００を成形できる。
【００５０】
なお、本発明は上記実施形態に限定されるものではなく、本発明の目的を達成できる範囲での変形、改良等は本発明に含まれる。
【符号の説明】
【００５１】
１…プレス成形装置
１０…鋼板（ワーク）
２１…ダイ
２２…第１サイドホルダ（ブランクホルダ）
２３…第２サイドホルダ（ブランクホルダ）
２４…第１フロントホルダ（ブランクホルダ）
２５…第２フロントホルダ（ブランクホルダ）
２６…第３フロントホルダ（ブランクホルダ）
２７…ガススプリング（クッション）
３１…パンチ
３２…リアパッド（ブランクホルダ）
３３…第１フロントパッド（ブランクホルダ）
３４…第２フロントパッド（ブランクホルダ）
３５…第３フロントパッド（ブランクホルダ）
３７…ガススプリング（クッション）
１００…自動車リアフロアパネル（車体下部構造）
１１０…スペアタイヤパン
１２０…凹凸
【図１】
0005823745.tif 000002
【図２】
0005823745.tif 000003
【図３】
0005823745.tif 000004
【図４】
0005823745.tif 000005
【図５】
0005823745.tif 000006
【図６】
0005823745.tif 000007
【図７】
0005823745.tif 000008
【図８】
0005823745.tif 000009
【図９】
0005823745.tif 000010
【図１０】
0005823745.tif 000011
【図１１】
0005823745.tif 000012
【図１２】
0005823745.tif 000013